(57)【要約】【課題】スクリーン上に拡大して高精度の画像を表示することができるプロジェクタ用光源装置を提供する。【解決手段】光源１は、基体１０に複数のＬＥＤチップ１１が載置され、複数のＬＥＤチップ１１の全部が、透明樹脂１２で封止されている。複数のＬＥＤチップ１１は、赤色ＬＥＤチップと青色ＬＥＤチップと緑色ＬＥＤチップからなるものであり、拡散手段である拡散板１３で拡散させて、赤色、青色、緑色の光を混ぜて白色との光束になり、集光レンズ１４で集光され、集口窓３からプロジェクタに配光させる。【選択図】  図１
2004281103.tif 000002
【特許請求の範囲】
【請求項１】
光源として複数のＬＥＤからなるプロジェクタ用光源装置において、複数の赤色ＬＥＤチップと複数の青色ＬＥＤチップと複数の緑色ＬＥＤチップを基体に載置して封止し、光源としての複数の赤色ＬＥＤチップと複数の青色ＬＥＤチップと複数の緑色ＬＥＤチップからの光は拡散手段により拡散され、集光されてプロジェクタの映像信号の表示部に配光させることを特徴とするプロジェクタ用光源装置。
【請求項２】
光源として複数のＬＥＤからなるプロジェクタ用光源装置において、複数の赤色ＬＥＤチップと複数の青色ＬＥＤチップと複数の緑色ＬＥＤチップを基体に載置して封止し、前記複数のＬＥＤチップを載置し封止されている基体を複数個組み合わせ、光源としての複数の赤色ＬＥＤチップと複数の青色ＬＥＤチップと緑色ＬＥＤチップからの光は拡散手段により拡散され、集光されてプロジェクタの映像信号の表示部に配光させることを特徴とするプロジェクタ用光源装置。
【請求項３】
光源として複数のＬＥＤからなるプロジェクタ用光源装置において、複数の赤色ＬＥＤチップを載置し封止されている基体、複数の青色ＬＥＤチップを載置し封止されている基体、複数の緑色ＬＥＤチップを載置し封止されている基体が複数個組み合われたものであり、前記光源としての複数の赤色ＬＥＤチップと複数の青色ＬＥＤチップと緑色ＬＥＤチップからの光は拡散手段により拡散され、集光されてプロジェクタの映像信号の表示部に配光させることを特徴とするプロジェクタ用光源装置。
【請求項４】
光源として複数のＬＥＤからなるプロジェクタ用光源装置において、複数の赤色ＬＥＤチップと複数の青色ＬＥＤチップと複数の緑色ＬＥＤチップを多面形の柱状体基体に載置して封止し、前記光源としての複数の赤色ＬＥＤチップと複数の青色ＬＥＤチップからの光は、前記多面形柱状体の回りに設けられたリフレクターで反射・拡散され、集光されてプロジェクタの映像信号の表示部に配光させることを特徴とするプロジェクタ用光源装置。
【請求項５】
光源として複数のＬＥＤからなるプロジェクタ用光源装置において、複数の赤色ＬＥＤチップと複数の青色ＬＥＤチップと複数の緑色ＬＥＤチップを多面形の柱状体基体に載置して封止し、前記光源としての複数の赤色ＬＥＤチップと複数の青色ＬＥＤチップからの光は、前記多面形柱状体の回りに設けられたリフレクターで反射・拡散され、さらに散手段により拡散され、集光されてプロジェクタの映像信号の表示部に配光させることを特徴とするプロジェクタ用光源装置。
【請求項６】
複数のＬＥＤチップを載置する基体としての多面形柱状体は、多面形柱状体の１つの面に載置される複数のＬＥＤチップは、複数の赤色ＬＥＤチップ、複数の青色ＬＥＤチップ、複数の緑色ＬＥＤチップのいずれか１つの色のＬＥＤチップのみとするようにしたことを特徴とする請求項４または５に記載のプロジェクタ用光源装置。
【請求項７】
多面形の柱状体基体の回りに設けられたリフレクターは、複数の赤色ＬＥＤチップと複数の青色ＬＥＤチップと複数の緑色ＬＥＤチップを載置して封止した多面形の柱状体基体より長く、多面形の柱状体基体を覆うようになっていることを特徴とする請求項４〜６のいずれかに記載のプロジェクタ用光源装置。
【請求項８】
多面形の柱状体基体の回りに設けられたリフレクターは、凹面部と曲面の筒状部からなることを特徴とする請求項４〜７のいずれかに記載のプロジェクタ用光源装置。
【請求項９】
多面形の柱状体基体の回りに設けられたリフレクターは、凹面部と直線の筒状部からなることを特徴とする請求項４〜７のいずれかに記載のプロジェクタ用光源装置。
【請求項１０】
多面形の柱状体基体の回りに設けられたリフレクターは、その反射面が鏡面であることを特徴とする請求項４〜９のいずれかに記載のプロジェクタ用光源装置。
【請求項１１】
多面形の柱状体基体の回りに設けられたリフレクターは、その反射面が凹凸状であることを特徴とする請求項４〜９のいずれかに記載のプロジェクタ用光源装置。
【請求項１２】
多面形の柱状体基体の回りに設けられたリフレクターは、凹面部と直線の筒状部からなり反射面が鏡面で、多面形の柱状体基体の２倍以上の長さであることを特徴とする請求項９または１０に記載のプロジェクタ用光源装置。
【請求項１３】
基体に載置されている複数の赤色ＬＥＤチップ、複数の青色ＬＥＤチップ、複数の緑色ＬＥＤチップは、色毎にボンデングワイヤにより接続されており、電流より、各色の光量を調節可能し、色合いを調節することを特徴とする請求項１〜１２のいずれかに記載のプロジェクタ用光源装置。
【請求項１４】
基体に載置されている複数の赤色ＬＥＤチップと複数の青色ＬＥＤチップと複数の緑色ＬＥＤチップが、プロジェクタの映像信号の表示部と同期して点滅させる制御手段を備えていることを特徴とする請求項１〜１３のいずれかにプロジェクタ用光源装置。
【発明の詳細な説明】
【０００１】
【発明の属する技術分野】
本発明は、プロジェクタ用光源装置に係り、特に光源として複数のＬＥＤ（発光ダイオード）チップが基体に載置されているプロジェクタ用光源装置に関するものである。
【０００２】
【従来の技術】
従来、液晶パネルに光を当てスクリーンに拡大投影するプロジェクタにおいて、光源としてランプが用いられており、図１８に示すように、ランプ８６とリフレクタ８７からなるものであり、ランプ８６の発熱に対する冷却用送風ファン８８を設けられている。また光源としてランプの光量を上げようとすればランプ８６からの発熱量も多くなり、ランプの耐久性が短くなる。またランプの光量を上げようとすれば消費電力も多なりコストのかかるものであった。これを解決するために特許文献１に示すような光源としてＬＥＤ（発光ダイオード）を用いた光源装置が知られている。
【特許文献１】特開２００１−４２４３１号公報
【０００３】
【発明が解決しようとする課題】
しかしながら、複数のＬＥＤを用いたプロジェクタは、光源としての複数のＬＥＤの光は“つぶ”であり、プロジェクタからスクリーンに拡大された画像が写しだされたときに、複数のＬＥＤの光の“つぶ”が表われ、スクリーン上に高精度の画像を表示することができないという問題がある。
本発明は、スクリーン上に拡大して高精度の画像を表示することができる、光源としての複数のＬＥＤチップ及び拡散手段を有するプロジェクタ用光源装置を提供するものである。
【０００４】
【課題を解決するための手段】
本発明は、光源として複数のＬＥＤからなるプロジェクタ用光源装置において、複数の赤色ＬＥＤチップと複数の青色ＬＥＤチップと複数の緑色ＬＥＤチップを基体に載置して封止し、光源としての複数の赤色ＬＥＤチップと複数の青色ＬＥＤチップと複数の緑色ＬＥＤチップからの光は拡散手段により拡散され、集光されてプロジェクタの映像信号の表示部に配光させることを特徴とするプロジェクタ用光源装置である。
また、本発明は、光源として複数のＬＥＤからなるプロジェクタ用光源装置において、複数の赤色ＬＥＤチップと複数の青色ＬＥＤチップと複数の緑色ＬＥＤチップを基体に載置して封止し、前記複数のＬＥＤチップを載置し封止されている基体を複数個組み合わせ、光源としての複数の赤色ＬＥＤチップと複数の青色ＬＥＤチップと緑色ＬＥＤチップからの光は拡散手段により拡散され、集光されてプロジェクタの映像信号の表示部に配光させることを特徴とするプロジェクタ用光源装置である。
【０００５】
また、本発明は、光源として複数のＬＥＤからなるプロジェクタ用光源装置において、複数の赤色ＬＥＤチップを載置し封止されている基体、複数の青色ＬＥＤチップを載置し封止されている基体、複数の緑色ＬＥＤチップを載置し封止されている基体が複数個組み合われたものであり、前記光源としての複数の赤色ＬＥＤチップと複数の青色ＬＥＤチップと緑色ＬＥＤチップからの光は拡散手段により拡散され、集光されてプロジェクタの映像信号の表示部に配光させることを特徴とするプロジェクタ用光源装置である。
【０００６】
また、本発明は、光源として複数のＬＥＤからなるプロジェクタ用光源装置において、複数の赤色ＬＥＤチップと複数の青色ＬＥＤチップと複数の緑色ＬＥＤチップを多面形の柱状体基体に載置して封止し、前記光源としての複数の赤色ＬＥＤチップと複数の青色ＬＥＤチップからの光は、前記多面形柱状体の回りに設けられたリフレクターで反射・拡散され、集光されてプロジェクタの映像信号の表示部に配光させることを特徴とするプロジェクタ用光源装置である。
【０００７】
また、本発明は、光源として複数のＬＥＤからなるプロジェクタ用光源装置において、複数の赤色ＬＥＤチップと複数の青色ＬＥＤチップと複数の緑色ＬＥＤチップを多面形の柱状体基体に載置して封止し、前記光源としての複数の赤色ＬＥＤチップと複数の青色ＬＥＤチップからの光は、前記多面形柱状体の回りに設けられたリフレクターで反射・拡散され、さらに散手段により拡散され、集光されてプロジェクタの映像信号の表示部に配光させることを特徴とするプロジェクタ用光源装置である。
【０００８】
また、本発明のプロジェクタ用光源装置は、複数のＬＥＤチップを載置する基体としての多面形柱状体が、多面形柱状体の１つの面に載置される複数のＬＥＤチップは、複数の赤色ＬＥＤチップ、複数の青色ＬＥＤチップ、複数の緑色ＬＥＤチップのいずれか１つの色のＬＥＤチップのみとするようにしたことを特徴とするものである。
また、本発明のプロジェクタ用光源装置は、多面形の柱状体基体の回りに設けられたリフレクターは、複数の赤色ＬＥＤチップと複数の青色ＬＥＤチップと複数の緑色ＬＥＤチップを載置して封止した多面形の柱状体基体より長く、多面形の柱状体基体を覆うようになっていることを特徴とするものである。
【０００９】
また、本発明のプロジェクタ用光源装置は、多面形の柱状体基体の回りに設けられたリフレクターが、凹面部と曲面の筒状部からなることを特徴とするものである。
また、本発明のプロジェクタ用光源装置は、多面形の柱状体基体の回りに設けられたリフレクターが、凹面部と直線の筒状部からなることを特徴とするものである。
また、本発明のプロジェクタ用光源装置は、多面形の柱状体基体の回りに設けられたリフレクターが、その反射面が鏡面であることを特徴とするものである。
また、本発明のプロジェクタ用光源装置は、多面形の柱状体基体の回りに設けられたリフレクターが、その反射面が凹凸状であることを特徴とするものである。
また、本発明のプロジェクタ用光源装置は、多面形の柱状体基体の回りに設けられたリフレクターが、凹面部と直線の筒状部からなり反射面が鏡面で、多面形の柱状体基体の２倍以上の長さであることを特徴とするものである。
【００１０】
また、本発明のプロジェクタ用光源装置は、基体に載置されている複数の赤色ＬＥＤチップ、複数の青色ＬＥＤチップ、複数の緑色ＬＥＤチップは、色毎にボンデングワイヤにより接続されており、電流より、各色の光量を調節可能し、色合いを調節することを特徴とするものである。
さらに、本発明のプロジェクタ用光源装置は、基体に載置されている複数の赤色ＬＥＤチップと複数の青色ＬＥＤチップと複数の緑色ＬＥＤチップが、プロジェクタの映像信号の表示部と同期して点滅させる制御手段を備えていることを特徴とするものである。
【００１１】
【作用】
本発明のプロジェクタ用光源装置は、光源として複数の赤色ＬＥＤチップ、複数の青色ＬＥＤチップ、複数の緑色ＬＥＤチップを基体に載置し封止しているもので、基体に効率的に複数のＬＥＤチップを載置することができ、プロジェクタ用の光源として十分な光量とすることができるものであり、また拡散手段を設けたことにより、複数のＬＥＤチップからの光の拡散を行わせて赤、青、緑を混ぜて白色とし、ＬＥＤチップからの“つぶ”を光束にしてプロジェクタに配光させるもので、スクリーンに拡大した高精度の画像として映すことができるものである。
【００１２】
【発明の実施の形態】
本発明のプロジェクタ用光源装置は、板状の基体に光源としての複数の赤色ＬＥＤチップと複数の青色ＬＥＤチップと複数の緑色ＬＥＤチップを載置し、透明樹脂、例えばエポキシで封止され、その前方に拡散手段を配置する。
拡散手段として例えばフルネルレンズ等の拡散板で複数のＬＥＤチップからの光の拡散を行わせて赤、青、緑を混ぜて白色とし、また複数のＬＥＤチップからの“つぶ”を光束にし集光レンズを通してプロジェクタに配光させるものである。拡散手段としてのフルネルレンズで拡散を行わせて赤、青、緑を混ぜて白色とし、また複数のＬＥＤチップからの“つぶ”を光束にし、集光レンズとして集光フルネルレンズを通して、さらに拡散を行わせるようにしてもよい。
板状基体に設けられる光源としての複数のＬＥＤチップは、板状基体に円形配置して設けることで光の利用効率を上げることもできる。
【００１３】
また、本発明のプロジェクタ用光源装置は、光源としての複数の赤色ＬＥＤチップが載置されている板状基体、複数の青色ＬＥＤチップが載置されている板状基体、複数の緑色ＬＥＤチップが載置されている板状基体を複数枚組み合わせて白色になるようにし、プロジェクタ用の照明としての色合い、十分な光量とすることができる。
複数のＬＥＤチップを設けた板状基板を複数枚組み合わせる態様としては、中央に方形の複数のＬＥＤチップを設けた板状基板を置き、その回りに４枚の台形板状基板を配置して５枚の板状基板で皿状の面に形成する場合、また中央に方形板状基板を置き、その回りに４枚の台形板状基板を配置し、さらにその回りに４枚の台形板状基板を配置し、９枚の基板で皿状の面に形成する場合などがある。このように複数のＬＥＤチップを設けた板状基板を複数枚組み合わせて皿状の面に形成されたものは、複数のＬＥＤチップからの光が集められるので、より十分な光量とすることができる。
【００１４】
また、本発明のプロジェクタ用光源装置は、多面形柱状体の各面に光源としての複数の赤色ＬＥＤチップと複数の青色ＬＥＤチップと複数の緑色ＬＥＤチップを載置し、透明樹脂、例えばエポキシで封止する。
多面形柱状体の回りに光を反射・拡散させる手段としてリフレクターを配置し、複数の赤色ＬＥＤチップと複数の青色ＬＥＤチップと複数の緑色ＬＥＤチップからの光を、リフレクターで反射・拡散を行わせて赤、青、緑を混ぜて白色とし、また複数のＬＥＤチップからの“つぶ”を光束にし集光レンズを通してプロジェクタに配光させるものである。
【００１５】
多面形の柱状体基体の回りに設けられたリフレクターは、複数の赤色ＬＥＤチップと複数の青色ＬＥＤチップと複数の緑色ＬＥＤチップを載置して封止した多面形の柱状体基体より長く、多面形の柱状体基体を覆うようになっている。
また、多面形の柱状体基体の回りに設けられたリフレクターは、凹面部と曲面の筒状部からワイングラスのようなものを用い、複数のＬＥＤチップを載置して封止した多面形の柱状体基体より長く、多面形の柱状体基体を覆うようになっている。
【００１６】
また、多面形の柱状体基体の回りに設けられたリフレクターは、凹面部と直線の筒状部からなるものを用い、複数のＬＥＤチップを載置して封止した多面形の柱状体基体より長く、多面形の柱状体基体を覆うようになっている。
また、多面形の柱状体基体の回りに設けられたリフレクターは、その反射面を凹凸状にすることにより、複数の赤色ＬＥＤチップと複数の青色ＬＥＤチップと複数の緑色ＬＥＤチップからの光を、反射・拡散させ、赤、青、緑を混ぜて白色とし、また複数のＬＥＤチップからの“つぶ”を光束にし集光レンズを通してプロジェクタに配光させるものである。
【００１７】
また、多面形の柱状体基体の回りに設けられたリフレクターが、凹面部と直線の筒状部からなり反射面が鏡面では、リフレクター直線の筒状部を多面形の柱状体基体の２倍以上の長さにすることにより、複数の赤色ＬＥＤチップと複数の青色ＬＥＤチップと複数の緑色ＬＥＤチップからの光を、反射・拡散させ、赤、青、緑を混ぜて白色とし、また複数のＬＥＤチップからの“つぶ”を光束にし集光レンズを通してプロジェクタに配光させることができるものである。
また、多面形の柱状体基体の回りに設けられたリフレクターが、複数の赤色ＬＥＤチップと複数の青色ＬＥＤチップと複数の緑色ＬＥＤチップからの光を、反射・拡散させ、さらに散手段、例えばフルネルレンズにより拡散されて、より一層、赤、青、緑を混ぜて、複数のＬＥＤチップからの“つぶ”を光束にし集光レンズを通してプロジェクタに配光させることが好ましい。
【００１８】
多面形柱状体としては、凸形を組あわせた図１３に示すような多面形柱状体、図示していないが、４個の凸組あわせて十字にした多面形柱状体を用いる。
あるいは、図１３に示すような八角形柱状体、図示していないが六角形柱状体を用いる。
多面形柱状体の面に載置されるＬＥＤチップは、１つの面には、１つの色のＬＥＤチップのみを載置する場合、あるいは、多面形柱状体の各面に赤色ＬＥＤチップと青色ＬＥＤチップと緑色ＬＥＤチップを混在させて載置する場合がある。
【００１９】
基体に載置される複数のＬＥＤチップは間隔をとって載置されている。
例えば、各ＬＥＤチップの大きさ３００μｍ×３００μｍで、ＬＥＤチップの間隔２００μｍで載置する。
また、板状の基体の４０ｍｍ×４０ｍｍの面に、３００μｍ×３００μｍのＬＥＤチップを間隔２００μｍで３１３６個と、小さな面積に多数のＬＥＤチップを載置することができる。
例えば、基体に、１０ｃｄ（カンデラ）のＬＥＤチップを２０００〜３８００個設け、１００００ＡＮＳＩルーメンとすることができ、プロジェクタ用の照明として十分な光量とすることができる。
【００２０】
また、基体に載置されるＬＥＤチップは、赤色ＬＥＤチップ同志をボンデングワイヤで接続し、青色ＬＥＤチップ同志をボンデングワイヤで接続し、また緑色ＬＥＤチップ同志をボンデングワイヤで接続する。これにより電流で、赤色、青色、緑色の各色の光量を調節し、色合いを調節することができる。
また、光源としての複数の赤色ＬＥＤチップと複数の青色ＬＥＤチップと複数の緑色ＬＥＤチップを基体に混在して載置されてもよい。
【００２１】
本発明の光源装置からの光は、集光レンズを経由し、ダイクロイックミラーやプリズムにより、Ｒ（赤色光）、Ｇ（緑色光）、Ｂ（青色光）の３つに分けられる。３つに分けられたそれぞれの光は、プロジェクタの映像信号の透過型のＲ（赤色光）、Ｇ（緑色光）、Ｂ（青色光）の３つ表示部例えば液晶パネルを通過して３つに投射光となり、これら３つに投射光はプリズムにより合成されて、投写レンズを経由して拡大されスクリーンに投影されるものである。
【００２２】
また、本発明の光源装置からの光は、ダイクロイックミラーやプリズムにより、Ｒ（赤色光）、Ｇ（緑色光）、Ｂ（青色光）の３つに分けられたそれぞれの光は、プロジェクタの映像信号の反射型のＲ（赤色光）、Ｇ（緑色光）、Ｂ（青色光）の３つ表示部例えばＤＭＤ素子で反射されて３つに反射光となり、これらはプリズムにより合成されて、投写レンズを経由して拡大されスクリーンに投影されるものである。
なお、光源としての複数のＬＥＤチップから発光される複数の光を拡散板により拡散して光束は、適宜、インテグレータレンズ、リレーレンズ、リレーコンデンサーレンズ等を経由させるものである。
また、本発明のプロジェクタ用光源装置は、複数のＬＥＤチップを設けた光源を、映像信号に同期させて点滅させる制御手段を設けることが好ましい。ＬＥＤチップは応答速度が速いものであり、映像信号に同期させて光源としてのＬＥＤチップを点滅させることにより、消費電力を一層少なくすることができ、また長寿命化させることができるものである。
【００２３】
【実施例１】
本発明の実施例１について、図１〜図６を参照して説明する。
図１は本発明の実施例１の光源装置の斜視図であり、図２と図３は光源装置の側面図、図４は図１の光源の平面図、図５は図１の光源装置を設けた液晶プロジェクタを示した図、図６は図１の光源装置を設けたＤＭＤプロジェクタを示した図である。
図１、図２に示すように、光源装置は光源１と拡散手段としての拡散板１３を備えており、集光レンズ１４及び集口窓３のように配置され、光源として複数のＬＥＤ１１からの光は、拡散板１３により拡散されて白色の光束になり、集光レンズ１４で集光され、集口窓３からプロジェクタに配光させるものである。
【００２４】
図１、図２に示すように、光源１は、基体１０に複数のＬＥＤチップ１１が載置され、その複数のＬＥＤチップ１１の全部が、透明樹脂１２、例えばエポキシで封止されているものである。複数のＬＥＤチップ１１は、赤色ＬＥＤチップと青色ＬＥＤチップと緑色ＬＥＤチップからなるものであり、拡散手段である拡散板１３で拡散させて、赤色、青色、緑色の光を混ぜて白色とし、また複数のＬＥＤチップ１１からの“つぶ”を光束にしてプロジェクタに配光する。
拡散手段としての拡散板１３は、例えばフルネルレンズが用いられる。図１と図２には拡散板１３として一枚のフルネルレンズの場合を示したが、図３に示すように、拡散手段としての拡散板１３が、１３ａ、１３ｂ、１３ｃの複数枚のフルネルレンズで構成してもよい。基板１０に設けられた複数のＬＥＤチップ１１からの赤色、青色、緑色の光が、複数枚の拡散板１３ａ、１３ｂ、１３ｃで拡散されて混ぜられ、白色になり集光レンズ１４で集光され、集口窓３からプロジェクタに配光させるものである。
【００２５】
図４に示すように、光源１は基体１０に複数のＬＥＤチップ１１を載置し、その全部を透明樹脂１２で封止し、そこに拡散板１３が配置しているものである。
複数のＬＥＤチップ１１は、図４に一部を拡大して示したように、基体１０にＬＥＤチップ１１が、間隔をとって載置されているものである。
また、基体１０に載置されている複数のＬＥＤチップ１１は、色毎にボンデングワイヤで接続して、電流を調節することにより、色合いを調節することができるようにすることが好ましい。すなわち基体１０に載置されている複数のＬＥＤチップ１１は、複数の赤色ＬＥＤチップと複数の青色ＬＥＤチップと複数の緑色ＬＥＤチップであり、複数の赤色ＬＥＤチップ同志をボンデングワイヤで接続し、複数の青色ＬＥＤチップ同志をボンデングワイヤで接続し、また複数の緑色ＬＥＤチップ同志をボンデングワイヤで接続する。各色のＬＥＤチップは電流よりその光量が変えられるものであるから、各色のＬＥＤチップは電流よりそれぞれの光量を調節することができる。複数の赤色ＬＥＤチップと複数の青色ＬＥＤチップと複数の緑色ＬＥＤチップの３色の光量を電流で調節することにより、光を混ぜ合わせた白色の色合いを調節することができるものである。
【００２６】
図５は、上述の光源装置を設けた液晶プロジェクタである。赤色、青色、緑色の複数のＬＥＤチップ１１を基体１０に載置し、エポキシ１２で封止した光源１、拡散板１３、集光レンズ１４が配置されているもので、液晶プロジェクタには、ダイクロイックミラー４ａ、４ｂとミラー５ａ〜５ｃ、液晶パネル（ライトバルブ）６Ｒ、６Ｇ、６Ｂ、ダイクロイックプリズム７、プロジェクションレンズ９が備えられている。
光源１の複数のＬＥＤチップ１１からの赤色、青色、緑色が、拡散板１３で混ぜられてＷ（白色）の光束となり、集光レンズ１４で集光され、集口窓３からダイクロイックミラー４ａに当てられる。ダイクロイックミラー４ａは、Ｒ（赤色）の光のみを透過する。ダイクロイックミラー４ａを透過したＲ（赤色）の光は、ミラー５ａで反射され、フィールドレンズ（図示省略）を透過後、液晶パネル６Ｒを照明する。
【００２７】
ダイクロイックミラー４ａで反射されたＧ（緑色）とＢ（青色）の光は、ダイクロイックミラー４ｂでＧ（緑色）の光を反射し、Ｂ（青色）の光を透過する。
ダイクロイックミラー４ｂで反射したＧ（緑色）の光は、フィールドレンズ（図示省略）を透過後、液晶パネル６Ｇを照明する。
ダイクロイックミラー４ｂを透過したＢ（青色）の光は、ミラー５ｂで反射され、さらにミラー５ｃで反射されて、フィールドレンズ（図示省略）を透過後、液晶パネル６Ｂを照明する。
【００２８】
液晶パネル６Ｒの光学画像の光はプリズム７ａに入射され、液晶パネル６Ｇの光学画像の光はプリズム７ｂに入射され、液晶パネル６Ｂの光学画像の光はプリズム７ｃに入射され、プリズム７ａ〜７ｃの作用により、プリズム７ｄで８Ｒ（赤色）と８Ｇ（緑色）と８Ｂ（青色）は合成され、プロジェクションレンズ（投写レンズ）９を経由してスクリーン（図示省略）に拡大されて投影されるものである。
【００２９】
このように、光源１の赤色、青色、緑色の複数のＬＥＤチップ１１からの赤色、青色、緑色は、拡散板１３で混ぜられて白色の光束となり、集光レンズ１４で集光され、白色光は色分解されて液晶プロジェクタの映像信号の表示部である液晶パネル６Ｂ、６Ｇ、６Ｒに配光されるもので、液晶プロジェクタの光源装置として十分な光度とすることができ、スクリーンに拡大した高精度の画像を映すことができるものである。
【００３０】
図６は、上述の光源装置を設けたＤＭＤプロジェクタで、赤色、青色、緑色の複数のＬＥＤチップ１１を基体１０に載置し、エポキシ１２で封止した光源１、拡散板１３、集光レンズ１４が配置されており、ＤＭＤプロジェクタは、ミラー４５、全反射プリズム５０、色分解／色結合プリズム５１、５２、５３、プリズム５４、プロジェクションレンズ（投写レンズ）９、及びＤＭＤ素子４６Ｂ（青色）、４６Ｇ（緑色）、４６Ｒ（赤色）を備えている。ＤＭＤ素子４６Ｂ、４６Ｇ、４６Ｒは、それぞれ冷却のためペルチェ素子４７とファン４８を設けている。
【００３１】
光源１の複数のＬＥＤチップ１１からの赤、青、緑が、拡散板１３で混ぜられて白色の光束となり、集光レンズ１４で集光され、集口窓３からミラー４５に当てられ、白色光６０Ｗは全反射プリズム５０で６１Ｗに反射する。白色光６１Ｗは色分解／色結合プリズム５１で、青色光は色分解されて青色光６２Ｂ、６３ＢのようにＤＭＤ素子４６Ｂを照射し、ＤＭＤ素子４６Ｂから反射された光学画像の青色光は６４Ｂ、６５Ｂとなり、プリズム５４で集光される。
全反射プリズム５０で反射し、色分解／色結合プリズム５１を透過した赤色光と緑色光のうち、赤色光は、色分解／色結合プリズム５３で色分解されて赤色光６９Ｒ、７０ＲのようにＤＭＤ素子４６Ｒを照射し、ＤＭＤ素子４６Ｒから反射された光学画像の赤色光は７１Ｒ、７２Ｒとなり、プリズム５４で集光される。
【００３２】
また、緑色光は、色分解／色結合プリズム５１を透過し、さらに色分解／色結合プリズム５３を透過して緑色光６７Ｇとなり、ＤＭＤ素子４６Ｇを照射し、ＤＭＤ素子４６Ｇから反射された光学画像の緑色光は６８Ｇとなり、プリズム５４で集光される。
ＤＭＤ素子４６Ｂ、４６Ｒ、４６Ｇから反射した光学画像の青色光６５Ｂ、赤色光７２Ｒ、緑色光６８Ｇの３つの光は、プリズム５４で集光され、プロジェクションレンズ（投写レンズ）９を経由してスクリーン４９に拡大して投影されるものである。
【００３３】
光源１の複数のＬＥＤチップ１１からの赤色、青色、緑色が、拡散板１３で混ぜられてＷ（白色）の光束となり、集光レンズ１４で集光され、集口窓３からミラー４５に当てられてプロジェクタの全反射プリズム５に配光されるものであるが、集光窓３とミラー４５の間に適宜、ＵＶＩＲカットフィルターや光量ムラを消し均一照明とするためのロッドインテグレーターを配置してもよい。
このように光源１の赤色、青色、緑色の複数のＬＥＤチップ１１からの赤、青、緑は、拡散板１３で混ぜられて白色の光束となり、集光レンズ１４で集光されて、十分な光度とすることができ、ＤＭＤ素子４６Ｂ、４６Ｒ、４６Ｇから反射された光学画像をスクリーンに拡大した高精度の画像として映すことができるものである。
【００３４】
【実施例２】
本発明の実施例２について図７〜図９を参照して説明する。実施例２は、光源としての複数のＬＥＤチップが載置されている板状の基体を複数枚組み合わせて皿状の面に形成したものである。
図７は本発明の実施例２の光源装置の斜視図であり、図８は図７の光源の平面図、図９（ａ）は図７の光源のＹ−Ｙ´断面図、図９（ｂ）は図７の光源のＸ−Ｘ´断面図である。
図７〜図９に示すように、光源２０は、方形の光源部２０ａを中央部とし、その回りに台形の光源部２０ｂ〜２０ｅを組み合わせて５個で、皿状の面に形成したものである。
【００３５】
方形の光源部２０ａは、方形基体２１ａに複数のＬＥＤチップ１１を載置し、エポキシ樹脂２２ａで封止し、拡散板２３ａを設けている。台形の光源部２０ｂは、台形基体２１ｂに複数のＬＥＤチップ１１を載置し、エポキシ樹脂２２ｂで封止し、拡散板２３ｂを設けており、同様に台形の光源部２０ｃは台形基体２１ｃに複数のＬＥＤチップ１１とエポキシ樹脂２２ｃ、拡散板２３ｃが設けられており、台形の光源部２０ｄは台形基体２１ｄに複数のＬＥＤチップ１１、エポキシ樹脂２２ｄ、拡散板２３ｃが設けられており、また台形の光源部２０ｅは台形基体２１ｅに複数のＬＥＤチップ１１、エポキシ樹脂２２ｅ、拡散板２３ｅが設けられている。台形の光源部２０ｃは図９（ｂ）の一部拡大図に、また台形の光源部２０ｄは図９（ａ）の一部拡大図に示した。源部２０ａ、２０ｂ、２０ｅも同様にのものである。
【００３６】
複数のＬＥＤチップ１１は、それぞれの板状基体２１ａ〜２１ｅに間隔をとって載置されている（上記の図３の一部拡大図のように）。
板状基体２１ａ〜２１ｅの複数のＬＥＤチップ１１は、赤色ＬＥＤチップと青色ＬＥＤチップと緑色ＬＥＤチップを混在させて載置する場合、あるいは板状基体２１ａには赤色ＬＥＤチップ、板状基体２１ｂには青色ＬＥＤチップ、板状基体２１ｃには緑色ＬＥＤチップのように、１つの板状基体に載置する複数のＬＥＤチップは、１つの色のＬＥＤチップのみとする場合がある。
【００３７】
図９（ａ）のＹ−Ｙ´断面図に示すように、光源部２０ｂ、２０ａ、２０ｄは、それぞれの台形基体２１ｂ、方形基体２１ａ、台形基体２１ｄに載置されているＬＥＤチップ１１からの光が集光するようになっており、また、図９（ｂ）のＸ−Ｘ´断面図に示すように、光源部２０ｅ、２０ａ、２０ｃは、それぞれの台形基体２１ｅ、方形基体２１ａ、台形基体２１ｃに載置されているＬＥＤチップ１１からの光が集光するようになっているものであり、複数のＬＥＤチップ１１を設けた板状基体２０ａ〜２０ｅを５枚組み合わせて皿状の面に形成されたものは、複数のＬＥＤチップ１１からの光が集光され、効率的により十分な光量とすることができるものである。
このような、皿状の面に形成した光源部２０ａ〜２０ｅからの赤色、青色、緑色の光は、拡散板２３ａ〜２３ｅで拡散され、また複数のＬＥＤチップ１１からの“つぶ”を光束にし、この白色の光束を集光レンズ２４で集光して、集口窓３からプロジェクタに配光されるものである。
【００３８】
また、基体２１ａ〜２１ｅに載置されているＬＥＤチップ１１を色毎にボンデングワイヤで接続する。赤色ＬＥＤチップ同志、青色ＬＥＤチップ同志、また緑色ＬＥＤチップ同志は、それぞれボンデングワイヤにより接続して、それぞれの色のＬＥＤチップは、電流より、赤色、青色、緑色の各色の光量を調節し、色合いを調節することができるものである。
このように、基体２１ａ〜２１ｅに複数のＬＥＤチップ１１が載置されている光源部２０ａ〜２０ｅを組み合わせて皿状の面に形成したことにより、上述した図５、図６のようなプロジェクタの光源装置としてより十分な光量とすることができ、スクリーンに拡大した高精度の画像を映しだすことができるものである。
【００３９】
なお、板状基体２１ａ〜２１ｅの１つの板状基体に載置するＬＥＤチップを１つの色のＬＥＤチップのみとする場合に、光源部２０ａ〜２０ｅの５つの板状基体２１ａ〜２０ｅのいずれの面に、赤色ＬＥＤチップ、青色ＬＥＤチップ、緑色ＬＥＤチップを載置するか、また赤色ＬＥＤチップ、青色ＬＥＤチップ、緑色ＬＥＤチップを載置した板状基体面の配置については、光量等を考慮して白色になるように適宜に定めるものであり、また、ボンデングワイヤにより接続されているそれぞれの色のＬＥＤチップの電流より、白色になるように各色の光量の調節、色合いの調節するものである。
【００４０】
【実施例３】
本発明の実施例３について図１０〜図１２を参照して説明する。実施例３は、複数のＬＥＤチップを載置する基体が多面形の柱状体でリフレクターを備えたプロジェクタ用光源装置である。
図１０は本発明の実施例３の光源装置の斜視図、図１１は図１０の断面図であり、図１２（ａ）（ｂ）は複数のＬＥＤチップを載置した多面形の柱状体基体を示す図である。
【００４１】
図１０に示すように、光源装置９７は、多面形の柱状体基体に複数のＬＥＤチップを載置した光源９２とリフレクター９８からなるもので、光源９２の複数のＬＥＤチップからの赤、青、緑の光はリフレクター９８で反射され混ぜられて、白色の光束になり、集光レンズ８４で集光され、集口窓３からプロジェクタに配光させるものである。
【００４２】
図１１に示すように、光源装置９７は、リフレクター９８が複数の赤色ＬＥＤチップ、青色ＬＥＤチップ、複数の緑色ＬＥＤチップを載置した多面形の柱状体基体の光源９２の回りに設けられるものであり、反射面９８ａ、９８ｂと開口部９８ｄからなるものである。反射面９８ｂは、多面形の柱状体基体の光源９２より長く、光源９２を覆うようになっており、光源９２からの光を反射するようになっている。リフレクター９８の反射面９８ｃは、鏡面あるいは凹凸面にする。
【００４３】
次ぎに、複数のＬＥＤチップを載置する多面形柱状体の基体について説明する。
図１２（ａ）（ｂ）は多面形柱状体が八角形の柱状体基体で１つの面に載置する複数のＬＥＤチップが１つの色の複数のＬＥＤチップのみの光源である。
光源９２の柱状体基体９３は、複数のＬＥＤチップを載置する面９３ａ〜９３ｈの８つの面を有しており、面９３ａには複数の赤色ＬＥＤチップ９５Ｒ、面９３ｂには複数の青色ＬＥＤチップ９５Ｂ、面９３ｃには複数の緑色ＬＥＤチップ９５Ｇのように１つの色の複数のＬＥＤチップを載置し、エポキシで封止される。
八角形の柱状体基体９３の８つの面９３ａ〜９３ｈのいずれの面に、赤色ＬＥＤチップ９５Ｒ、青色ＬＥＤチップ９５Ｂ、緑色ＬＥＤチップ９５Ｇを載置するか、また赤色ＬＥＤチップ９５Ｒ、青色ＬＥＤチップ９５Ｂ、緑色ＬＥＤチップ９５Ｇを載置する面の数を幾つの面にするかについては、光量等を考慮して適宜に定めるものである。
【００４４】
図１２（ａ）に一部を拡大して示したように、八角形の柱状体基体９３の面に載置される赤色ＬＥＤチップ９５Ｒ、青色ＬＥＤチップ９５Ｂ、緑色ＬＥＤチップ９５Ｇは間隔をとって載置されている。また複数の赤色ＬＥＤチップ９５Ｒはボンデングワイヤにより接続され、複数の青色ＬＥＤチップ９５Ｂはボンデングワイヤにより接続され、また複数の緑色ＬＥＤチップ９５Ｇはボンデングワイヤにより接続され、電流より、赤色、青色、緑色の各色の光量を調節することにより、色合いを調節する。
なお、光源の光量、色合は、八角形の柱状体基体９３の面に載置する赤色ＬＥＤチップ、青色ＬＥＤチップ、緑色ＬＥＤチップの数や、その電流より調節するものである。
【００４５】
図１２に示す八角形の柱状体基体に複数のＬＥＤチップを載置した光源９２に図１０に示すようにリフレクター９８を設けた光源装置９７により、光源９２の複数のＬＥＤチップからの赤、青、緑の光は、リフレクター９８の反射面９８ｃで反射され拡散されて混ぜられ白色の光束になり、また複数のＬＥＤチップからの赤色、青色、緑色の“つぶ”は混ぜられ白色の光束になり集光レンズ８４、集口窓３を通ってプロジェクタに配光させてスクリーンに拡大した高精度の画像として映すことができるものである。
なお、光源９２の複数の赤色ＬＥＤチップと複数の青色ＬＥＤチップと緑色ＬＥＤチップからの光の拡散について、リフレクター９８の反射面９８ｃで反射されて拡散されることができるが、図示していないが、リフレクター９８の開口部９８ｄの前方に拡散手段としてフルネルレンズを配置することにより、複数のＬＥＤチップからの赤色、青色、緑色の光をより一層の拡散を行わせることができる。
【００４６】
【実施例４】
本発明の実施例４について図１３を参照して説明する。実施例４は複数のＬＥＤチップを載置する基体が多面形の柱状体でリフレクターを備えたプロジェクタ用光源装置で、複数のＬＥＤチップを載置する基体が凸形を組あわせた多面形の柱状体のものである。
図１３（ａ）（ｂ）は、多面形柱状体が凸形を組あわせた多面形柱状体で、１つの面に載置する複数のＬＥＤチップが１つの色の複数のＬＥＤチップのみの光源である。
光源８２の多面形の柱状体基体８３は、複数のＬＥＤチップを載置する面８３ａ〜８３ｔの２０個の面を有している。
多面形の柱状体基体８３の面８３ａには複数の赤色ＬＥＤチップ８５Ｒ、面８３ｂには複数の青色ＬＥＤチップ８５Ｂ、面８３ｃには複数の緑色ＬＥＤチップ８５Ｇ、面８３ｄには複数の赤色ＬＥＤチップ８５Ｒ、面８３ｅには複数の青色ＬＥＤチップ８５Ｂ、面８３ｆには複数の緑色ＬＥＤチップ８５Ｇのように、多面形柱状体８３のように、１つの面には、１つの色の複数のＬＥＤチップを載置し、エポキシで封止される。
なお、多面形の柱状体基体８３の２０個の面８３ａ〜８３ｔのいずれの面に、赤色ＬＥＤチップ８５Ｒ、青色ＬＥＤチップ８５Ｂ、緑色ＬＥＤチップ８５Ｇを載置するか、また赤色ＬＥＤチップ８５Ｒ、青色ＬＥＤチップ８５Ｂ、緑色ＬＥＤチップ８５Ｇを載置する面の数を幾つの面にするかについては、光量等を考慮して適宜に定めるものである。
【００４７】
図１３（ａ）に一部を拡大して示したように、多面形の柱状体基体８３の面に載置される赤色ＬＥＤチップ８５Ｒ、青色ＬＥＤチップ８５Ｂ、緑色ＬＥＤチップ８５Ｇは間隔をとって載置されている。
また、多面形の柱状体基体８３の面に載置されている複数の赤色ＬＥＤチップ８５Ｒはボンデングワイヤにより接続され、複数の青色ＬＥＤチップ８５Ｂはボンデングワイヤにより接続され、また複数の緑色ＬＥＤチップ８５Ｇはボンデングワイヤにより接続され、電流より、赤色、青色、緑色の各色の光量を調節することにより、色合いを調節する。
なお、光源８２の光量、色合は、多面形柱状体基体８３の面に載置する赤色ＬＥＤチップ、青色ＬＥＤチップ、緑色ＬＥＤチップの数や、その電流より調節するものである。
【００４８】
図１３に示す凸形を組あわせた多面形の柱状体基体に複数のＬＥＤチップを載置した光源８２に、上記実施例１で示した図１０のようにリフレクター９８を設けて、光源の複数のＬＥＤチップからの赤、青、緑の光は、リフレクター９８の反射面９８ｃで反射され拡散されて混ぜられ白色の光束になり、また複数のＬＥＤチップからの赤色、青色、緑色の“つぶ”は混ぜられ白色の光束になり集光レンズ８４、集口窓３を通ってプロジェクタに配光させてスクリーンに拡大した高精度の画像として映すことができるものである。
なお、光源８２の複数の赤色ＬＥＤチップと複数の青色ＬＥＤチップと緑色ＬＥＤチップからの光の拡散は、リフレクターの反射面で反射されて拡散されることができるが、リフレクターの開口部の前方に拡散手段としてフルネルレンズを配置することにより、複数のＬＥＤチップからの赤色、青色、緑色の光をより一層の拡散を行わせることができる。
【００４９】
【実施例５】
本発明の実施例５について、図１４及び図１５を参照して説明する。実施例５は、複数の赤色ＬＥＤチップと複数の青色ＬＥＤチップと複数の緑色ＬＥＤチップを載置する基体が多面形の柱状体でリフレクターが凹面部と曲面の筒状部からなるものである。図１４は本発明の実施例５の光源装置の斜視図であり、図１５は図１４の光源装置の断面図である。
図１４に示すように、光源装置８０は、多面形の柱状体基体に複数の赤色ＬＥＤチップと複数の青色ＬＥＤチップと複数の緑色ＬＥＤチップを載置した光源８２と、光を反射させ拡散させる手段である凹面部と曲面の筒状部からなるリフレクター８１からなるもので、光源８２の複数のＬＥＤチップからの赤色、青色、緑色の光は凹面部と筒状部からなるリフレクター８１で反射され、拡散されて混ぜられ、白色の光束になり、集光レンズ８４で集光され、集口窓３からプロジェクタに配光させるものである。光源８２は上記実施例４（図１３）で説明した光源である。
【００５０】
図１５に示すように、光源装置８０のリフレクター８１は、多面形の柱状体基体に複数の赤色ＬＥＤチップ、青色ＬＥＤチップ、複数の緑色ＬＥＤチップを載置した多面形の柱状体基体の光源８２の回りに設けられるものであり、凹面部８１ｂと中膨れ曲面の筒状部８１ｃからなるもので、ワイングラスのような形状のものである。リフレクター８１の反射面８１ａは鏡面あるいは凹凸にする。
リフレクター８１の反射面８１ａを凹凸都する場合には、図１５に拡大して示すように、９０°の先端を有する凹凸のものが好ましい。光源８２の複数のＬＥＤチップからの赤色、青色、緑色の光は、リフレクター８１の凹面部８１ｂと筒状部８１ｃの凹凸の反射面８１ａで反射し、拡散されて混ぜられ白色の光束になり、また複数のＬＥＤチップからの赤、青、緑の“つぶ”は混ぜられ、開口部８１ｄから集光レンズ８４に、そして集口窓３を通ってプロジェクタに配光させてスクリーンに拡大した高精度の画像として映すことができるものである。
なお、光源８２の複数の赤色ＬＥＤチップと複数の青色ＬＥＤチップと緑色ＬＥＤチップからの光の拡散は、リフレクター８１の凹凸の反射面８１ａで反射されて拡散されることができるが、リフレクターの開口部８１ｄの前方に拡散手段としてフルネルレンズを配置することにより、複数のＬＥＤチップからの赤色、青色、緑色の光をより一層の拡散を行わせることができる。
【００５１】
【実施例６】
本発明の実施例６について、図１６を参照して説明する。実施例６は、複数の赤色ＬＥＤチップと複数の青色ＬＥＤチップと複数の緑色ＬＥＤチップを載置する基体が多面形の柱状体でリフレクターが凹面部と筒状部からなるものである。図１６は本発明の実施例５の光源装置の断面図である。
図１６に示すように、光源装置９０のリフレクター９１は、多面形の柱状体基体に複数の赤色ＬＥＤチップ、青色ＬＥＤチップ、複数の緑色ＬＥＤチップを載置した多面形の柱状体基体の光源８２の回りに設けられるものである。光源８２は上記実施例４（図１３）で説明した光源である。
【００５２】
リフレクター９１は、凹面部９１ｂと直線の筒状部９１ｃからなるものであり、リフレクター９１の反射面９１ａは鏡面あるいは凹凸面にする。直線の筒状部９１ｃは開口部９１ｄから光が出るように開口部９１ｄが広く傾斜させてもよい。
リフレクター９１の反射面９１ａを鏡面にした場合には、直線の筒状部９１ｃの長さを光源８２の長さの２倍にすることが好ましく、これにより光源８２の複数のＬＥＤチップからの赤、青、緑の光は、その拡散手段であるリフレクター９１の凹面部９１ｂと筒状部９１ｃの鏡面の反射面９１ａで拡散されて混ぜられ白色の光束になり、また複数のＬＥＤチップからの赤、青、緑の“つぶ”は混ぜられ白色の光束になり、開口部９１ｄから集光レンズ、集口窓を通ってプロジェクタに配光させるもので、スクリーンに拡大した高精度の画像として映すことができるものである。
なお、光源８２の複数の赤色ＬＥＤチップと複数の青色ＬＥＤチップと緑色ＬＥＤチップからの光の拡散は、リフレクター９１の鏡面の反射面９１ａで反射されて拡散されることができるが、リフレクターの開口部９１ｄの前方に拡散手段としてフルネルレンズを配置することにより、複数のＬＥＤチップからの赤色、青色、緑色の光をより一層の拡散を行わせることができる。
【００５３】
【実施例７】
本発明の実施例７について図１７に示す。
図１７は、光源としての複数の赤色ＬＥＤチップと複数の青色ＬＥＤチップと複数の緑色ＬＥＤチップを液晶プロジェクタの映像信号に同期させて点滅させるプロジェクタ用光源装置を示した図である。図１７の液晶プロジェクタとその光源装置の構造は、実施例１で説明した図１〜図５と同様である。
液晶パネル６Ｒの映像信号３０Ｒ、液晶パネル６Ｇの映像信号３０Ｇ、液晶パネル６Ｂの映像信号３０Ｂを制御装置３０に接続し、また光源１の複数のＬＥＤチップ１１を制御装置３０に接続し、液晶プロジェクタの映像信号３０Ｒ、３０Ｇ、３０Ｂに同期させて制御装置３０によりＬＥＤチップ１１を点滅させるものであり、これにより消費電力を少なくすることができるものである。
【００５４】
【発明の効果】
以上説明したように、本発明のプロジェクタ用光源装置によれば、光源として複数の赤色ＬＥＤチップ、複数の青色ＬＥＤチップ、複数の緑色ＬＥＤチップを基体に載置し封止しているもので、基体に効率的に複数のＬＥＤチップを載置することができ、プロジェクタ用の光源として十分な光量とすることができ、また拡散手段を設けたことにより、複数のＬＥＤチップからの光の拡散を行わせて赤、青、緑を混ぜて白色とし、ＬＥＤチップからの“つぶ”を光束にしてプロジェクタに配光させるもので、スクリーンに拡大した高精度の画像として映すことができるという効果を有するものであり、またＬＥＤチップを用いているので、プロジェクタ用光源装置として発熱、消費電力が少なく、断線事故も少ないという効果を奏するものである。
【図面の簡単な説明】
【図１】本発明の実施例１の光源装置の斜視図
【図２】本発明の実施例１の光源装置の側面図
【図３】本発明の実施例１の光源装置の側面図
【図４】本発明の実施例１の光源装置の光源の平面図
【図５】本発明の実施例１のプロジェクタと光源装置を示した図
【図６】本発明の実施例１のプロジェクタと光源装置を示した図
【図７】本発明の実施例２の光源装置の斜視図
【図８】本発明の実施例２の光源の平面図
【図９】本発明の実施例２の光源の断面図
【図１０】本発明の実施例３の光源装置の斜視図
【図１１】本発明の実施例３の光源装置の断面図
【図１２】本発明の実施例３の多面形の柱状体基体を示す図
【図１３】本発明の実施例４の多面形の柱状体基体を示す図
【図１４】本発明の実施例５の光源装置の斜視図
【図１５】本発明の実施例５の光源装置の断面図
【図１６】本発明の実施例６の光源装置の断面図
【図１７】本発明の実施例７を説明する図
【図１８】従来例を示す図
【符号の説明】
１  光源
３  集口窓
４ａ、４ｂ  ダイクロイックミラー
５ａ〜５ｃ  ミラー
６Ｒ、６Ｇ、６Ｂ  液晶パネル
７  ダイクロイックプリズム
９  プロジェクションレンズ
１０  基体
１１  ＬＥＤチップ
１２  樹脂
１３  拡散板
１４  集光レンズ
４６Ｒ、４６Ｇ、４６Ｂ  ＤＭＤ素子
４７  ペルチェ素子
４８  ファン
５０〜５４  プリズム
８１、９１  リフレクター
８３、９３  柱状体基体
【図１】
2004281103.tif 000003
【図２】
2004281103.tif 000004
【図３】
2004281103.tif 000005
【図４】
2004281103.tif 000006
【図５】
2004281103.tif 000007
【図６】
2004281103.tif 000008
【図７】
2004281103.tif 000009
【図８】
2004281103.tif 000010
【図９】
2004281103.tif 000011
【図１０】
2004281103.tif 000012
【図１１】
2004281103.tif 000013
【図１２】
2004281103.tif 000014
【図１３】
2004281103.tif 000015
【図１４】
2004281103.tif 000016
【図１５】
2004281103.tif 000017
【図１６】
2004281103.tif 000018
【図１７】
2004281103.tif 000019
【図１８】
2004281103.tif 000020